(57)【特許請求の範囲】
【請求項１】
デジタル放送視聴用ＩＣカードを用いたテレビ受信機でのデジタルテレビ放送の視聴制限を行うデジタルテレビ放送視聴制限方法において、
前記テレビ受信機と前記デジタル放送視聴用ＩＣカードの間にカードアダプタが接続され、
自主放送送出装置が、視聴制限解除対象のテレビ受信機を特定するためのテレビ受信機識別情報を受けて、当該テレビ受信機の当該カードアダプタ宛の視聴許可時間情報を含むＥＭＭとともに、スクランブルされていない自主放送コンテンツを送出するステップと、
前記カードアダプタが、自身宛のＥＭＭに前記視聴許可時間情報が含まれていることを検出した場合、前記視聴許可時間情報を不揮発的に記憶するステップと、
前記カードアダプタが、当該テレビ受信機から前記デジタル放送視聴用ＩＣカードへ周期的に送出されるＥＣＭを検出する度に、前記視聴許可時間情報で表される視聴許可時間の残時間を当該経過時間分減算して更新していくステップと、
前記カードアダプタが、非自主放送コンテンツに係るＥＣＭの受信に応じて、前記残時間がゼロでなければ前記デジタル放送視聴用ＩＣカードから当該テレビ受信機へ前記ＥＣＭに基づくスクランブル解除キーが伝送されることを許容し、前記残時間がゼロになった後は前記デジタル放送視聴用ＩＣカードからの前記ＥＣＭに基づくスクランブル解除キーに代えて無効なスクランブル解除キーを当該テレビ受信機へ送出するステップとを備え、
前記カードアダプタにより非自主放送コンテンツの時限視聴制限を行うデジタルテレビ放送視聴制限方法。
【請求項２】
前記カードアダプタが、前記残時間を示す残時間情報を不揮発的に記憶するステップと、
前記カードアダプタが、所定の時点に、現時点での残時間情報を前記テレビ受信機に送出するステップと、
前記テレビ受信機が前記残時間情報を受信して表示するステップと、
を備えた請求項１に記載のデジタルテレビ放送視聴制限方法。
【請求項３】
前記自主放送送出装置は、前記自主放送コンテンツに対するＥＣＭの付加を省略することを特徴とする請求項１または２に記載のデジタルテレビ放送視聴制限方法。
【請求項４】
デジタル放送視聴用ＩＣカードを用いたテレビ受信機における放送コンテンツの視聴制限を行う視聴制限システムであって、
少なくとも映像および音声を含む放送コンテンツを送出する自主放送送出装置と、
前記テレビ受信機と前記デジタル放送視聴用ＩＣカードとの間に接続されるカードアダプタと、
視聴制限解除対象のテレビ受信機を特定するテレビ受信機識別情報の入力を受ける端末装置とを備え、
前記自主放送送出装置は、前記端末装置から入力されたテレビ受信機識別情報を受けて、当該テレビ受信機の当該カードアダプタ宛の視聴許可時間情報を含むＥＭＭとともに、スクランブルされていない自主放送コンテンツを送信し、
前記カードアダプタは、自身宛のＥＭＭに前記視聴許可時間情報が含まれていることを検出した場合、前記視聴許可時間情報を不揮発的に記憶し、
当該テレビ受信機から前記デジタル放送視聴用ＩＣカードへ周期的に送出されるＥＣＭを検出する度に、前記視聴許可時間情報で表される視聴許可時間の残時間を当該経過時間分減算して更新していき、非自主放送コンテンツに係るＥＣＭの受信に応じて、前記残時間がゼロでなければ前記デジタル放送視聴用ＩＣカードから当該テレビ受信機へ前記ＥＣＭに基づくスクランブル解除キーが伝送されることを許容し、前記残時間がゼロになった後は前記前記デジタル放送視聴用ＩＣカードからの前記ＥＣＭに基づくスクランブル解除キーに代えて無効なスクランブル解除キーを当該テレビ受信機へ送出し、
前記カードアダプタにより非自主放送コンテンツの時限視聴制限を行う
ことを特徴とする視聴制限システム。
【請求項５】
前記端末装置は、所定の対価の支払いと共に前記テレビ受信機識別情報の入力を受け付けることを特徴とする請求項４に記載の視聴制限システム。
【請求項６】
前記カードアダプタは、前記残時間を示す残時間情報を不揮発的に記憶し、所定の時点に、現時点での残時間情報を前記テレビ受信機に送出し、
前記テレビ受信機は、前記残時間情報を受信して表示する
ことを特徴とする請求項４に記載の視聴制限システム。
【請求項７】
前記自主放送送出装置は、前記自主放送コンテンツに対するＥＣＭの付加を省略することを特徴とする請求項４または５に記載の視聴制限システム。
【請求項８】
デジタル放送視聴用ＩＣカードを用いたテレビ受信機における放送コンテンツの視聴制限を行う視聴制限システムにおいて、前記デジタル放送視聴用ＩＣカードと前記テレビ受信機との間に接続されるカードアダプタであって、
前記デジタル放送視聴用ＩＣカードと前記テレビ受信機との間の通信経路を選択的に導通／遮断するよう接続／切断される第１のスイッチと、
前記第１のスイッチと相補的に前記通信経路を導通／遮断するよう接続／切断される第２のスイッチと、
自身宛のＥＭＭに視聴許可時間情報が含まれていることを検出した場合、前記視聴許可時間情報を不揮発的に記憶する記憶手段と、
当該テレビ受信機から前記デジタル放送視聴用ＩＣカードへ周期的に送出されるＥＣＭを検出する度に、前記視聴許可時間情報で表される視聴許可時間の残時間を当該経過時間分減算して更新していくタイマー手段と、
非自主放送コンテンツに係るＥＣＭの受信に応じて、前記残時間がゼロでなければ前記デジタル放送視聴用ＩＣカードから当該テレビ受信機へ前記ＥＣＭに基づくスクランブル解除キーが伝送されることを許容し、前記残時間がゼロになった後は前記前記デジタル放送視聴用ＩＣカードからの前記ＥＣＭに基づくスクランブル解除キーに代えて無効なスクランブル解除キーを当該テレビ受信機へ送出するアダプタ制御手段と
を備えたカードアダプタ。
【請求項９】
前記アダプタ制御手段は、前記残時間を残時間情報として不揮発的に記憶し、所定の時点に、現時点での残時間情報を前記テレビ受信機に送出することを特徴とする請求項８に記載のカードアダプタ。
【発明の詳細な説明】
【技術分野】
【０００１】
本発明は、デジタル放送視聴用ＩＣカードを用いたテレビ受信機でのデジタルテレビ放送の視聴制限を行うデジタルテレビ放送視聴制限方法およびシステムならびにこれに用いるカードアダプタに関する。（本明細書ではテレビジョンをテレビと略称する。）
【背景技術】
【０００２】
現在、特定の施設において、その利用者に対してテレビ放送を有料で配信することが行われている。例えば、病院や老人ホームなどの施設において、利用者が室内に設置されたテレビ受信機（テレビ受像機）でテレビ放送を視聴するに際して、所定の料金を支払うことによりその料金に見合った時間だけ、テレビ放送を視聴できるようにするシステムが導入されている。
【０００３】
このようなテレビ放送視聴制限の一方法として、テレビ受信機に装着され、コイン投入に応じて、決められた時間だけテレビ放送を視聴できるタイマー装置が知られている。このタイマー装置は、累積した視聴時間が決められた時間に達した時点（タイムアウト時）にテレビ受信機の電源を遮断するものである。
【０００４】
また、特許文献１に開示されているように、デジタルテレビ受信機に対するデータ放送を利用して、視聴制限付きで有料放送を提供可能にするデジタル放送視聴システムも提案されている。このシステムは、利用者に対して、カード券売機で、課金媒体としてのＰＥＴカードを発行する。また、自主放送送出機能を有するヘッドエンド装置から有料コンテンツとともに、中間鍵生成関数、本鍵生成関数および全カードＩＤをデータ放送のＢＭＬコンテンツ内に含めて、ホテルの各室に配信する。有料コンテンツの視聴を希望する利用者はカード券売機でＰＥＴカードを購入する。各室には、ＰＥＴカードのカードリーダを有する端末装置が設置される。各端末装置は、ＬＡＮでデジタルテレビ受信機に接続され、適正なＰＥＴカードから情報が読み取られた場合に、テレビ受信機から受信した中間鍵データとＰＥＴカードから得られた認証ＩＤデータに基づいて本鍵データを生成し、テレビ受信機へ送信する。テレビ受信機は、端末装置から受信した本鍵データと、自ら生成した本鍵データとを照合して、両者が一致したとき、カードＩＤの認証後に、視聴制限を解除する。
【先行技術文献】
【特許文献】
【０００５】
【特許文献１】特開２０１０−１６５５７号公報
【非特許文献】
【０００６】
【非特許文献１】デジタル放送におけるアクセス制御方式  標準規格  ＡＲＩＢ  ＳＴＤ−Ｂ２５  ５．１版、  社団法人電波産業会
【発明の概要】
【発明が解決しようとする課題】
【０００７】
ところで、施設によっては、自主放送として、その施設の案内放送のような無料の放送コンテンツを提供している場合がある。このような場合、上記のような視聴制限時にテレビ受信機の電源が遮断される従来技術は、放送チャンネルによらず、一律にテレビ放送の視聴が制限されるため、採用することが困難である。
【０００８】
上記特許文献１に記載の従来技術では、データ放送を利用して視聴制限を行うことができるが、テレビ受信機にＬＡＮで接続される端末装置がテレビ受信機毎に必要となる。各端末装置にはＰＥＴカードの読み取り装置を備える必要がある。さらに、ＰＥＴカードの発行自体にも相応の原価が掛かる。これによりシステムのコストが増大する。また、自主放送の視聴制限は行えるが、地上デジタルテレビ放送や衛星デジタルテレビ放送等の非自主放送（一般放送）の視聴制限が行えないという問題もある。
【０００９】
本発明はこのような背景においてなされたものであり、その目的は、非自主放送（一般放送）に対する視聴制限を比較的低コストで実現することができるデジタルテレビ放送視聴制限方法およびシステムならびにこれに用いるカードアダプタを提供することにある。
【００１０】
本発明の他の目的は、自主放送には視聴制限を行うことなく、非自主放送に対する視聴制限を行うことを可能にすることにある。
【課題を解決するための手段】
【００１１】
本発明によるデジタルテレビ放送視聴制限方法は、デジタル放送視聴用ＩＣカードを用いたテレビ受信機でのデジタルテレビ放送の視聴制限を行う方法である。このデジタルテレビ放送視聴制限方法は、前記テレビ受信機と前記デジタル放送視聴用ＩＣカードの間にカードアダプタが接続され、自主放送送出装置が、視聴制限解除対象のテレビ受信機を特定するためのテレビ受信機識別情報を受けて、当該テレビ受信機識別情報で特定されるテレビ受信機の当該カードアダプタ宛の視聴許可時間情報を含むＥＭＭとともに、スクランブルされていない自主放送コンテンツを送信するステップと、前記カードアダプタが、自身宛のＥＭＭに前記視聴許可時間情報が含まれていることを検出した場合、前記視聴許可時間情報を不揮発的に記憶するステップと、前記カードアダプタが、当該テレビ受信機から前記デジタル放送視聴用ＩＣカードへ周期的に送出されるＥＣＭを検出する度に、前記視聴許可時間情報で表される視聴許可時間の残時間を当該経過時間分減算して更新していくステップと、前記カードアダプタが、非自主放送コンテンツに係るＥＣＭの受信に応じて、前記残時間がゼロでなければ前記デジタル放送視聴用ＩＣカードから当該テレビ受信機へ前記ＥＣＭに基づくスクランブル解除キーが伝送されることを許容し、前記残時間がゼロになった後は前記前記デジタル放送視聴用ＩＣカードからの前記ＥＣＭに基づくスクランブル解除キーに代えて無効なスクランブル解除キーを当該テレビ受信機へ送出するステップとを備え、前記カードアダプタにより非自主放送コンテンツの時限視聴制限を行う。
【００１２】
この構成により、自主放送送出装置からＥＭＭを利用して視聴許可時間情報が目的のカードアダプタに送り込まれる。また、これに応じて、カードアダプタが当該テレビ受信機による非自主放送の視聴時間を計時し、視聴許可時間だけの非自主放送の視聴を許容する。
【００１３】
このデジタルテレビ放送視聴制限方法は、前記カードアダプタが、前記残時間を示す残時間情報を不揮発的に記憶するステップと、前記カードアダプタが、所定の時点で、現時点での残時間情報を前記テレビ受信機に送出するステップと、前記テレビ受信機が前記残時間情報を受信して表示するステップとをさらに備えてもよい。所定の時点は例えば非自主放送コンテンツに係る自身宛のＥＭＭの受信時である。
【００１４】
この構成により、テレビ受信機に残時間を表示させて、利用者に現在の残時間を知らしめる。
【００１５】
自主放送送出装置は、前記自主放送コンテンツに対するＥＣＭの付加を省略することにより、カードアダプタが自主放送と非自主放送とを区別することができる。
【００１６】
本発明による視聴制限システムは、デジタル放送視聴用ＩＣカードを用いたテレビ受信機における放送コンテンツの視聴制限を行う視聴制限システムである。この視聴制限システムは、少なくとも映像および音声を含む放送コンテンツを送出する自主放送送出装置と、前記テレビ受信機と前記デジタル放送視聴用ＩＣカードとの間に接続されるカードアダプタと、視聴制限解除対象のテレビ受信機を特定するテレビ受信機識別情報の入力を受ける端末装置とを備える。前記自主放送送出装置は、前記端末装置から入力されたテレビ受信機識別情報を受けて、当該テレビ受信機の当該カードアダプタ宛の視聴許可時間情報を含むＥＭＭとともに、スクランブルされていない自主放送コンテンツを送出する。前記カードアダプタは、自身宛のＥＭＭに前記視聴許可時間情報が含まれていることを検出した場合、前記視聴許可時間情報を不揮発的に記憶し、当該テレビ受信機から前記デジタル放送視聴用ＩＣカードへ周期的に送出されるＥＣＭを検出する度に、前記視聴許可時間情報で表される視聴許可時間の残時間を当該経過時間分減算して更新していき、非自主放送コンテンツに係るＥＣＭの受信に応じて、前記残時間がゼロでなければ前記デジタル放送視聴用ＩＣカードから当該テレビ受信機へ前記ＥＣＭに基づくスクランブル解除キーが伝送されることを許容し、前記残時間がゼロになった後は前記前記デジタル放送視聴用ＩＣカードからの前記ＥＣＭに基づくスクランブル解除キーに代えて無効なスクランブル解除キーを当該テレビ受信機へ送出する。このようにして、前記カードアダプタにより非自主放送コンテンツの時限視聴制限を行うことができる。
【００１７】
前記端末装置は、所定の対価の支払いと共に前記テレビ受信機識別情報の入力を受け付けることができる。
【００１８】
また、前記カードアダプタは、前記残時間を示す残時間情報を不揮発的に記憶し、所定の時点、例えば、前記非自主放送コンテンツに係る自身宛のＥＭＭの受信時に、現時点での残時間情報を前記テレビ受信機に送出し、前記テレビ受信機は、前記残時間情報を受信して表示するようにすることも可能である。
【００１９】
本発明によるカードアダプタは、デジタル放送視聴用ＩＣカードを用いたテレビ受信機における放送コンテンツの視聴制限を行う視聴制限システムにおいて、前記デジタル放送視聴用ＩＣカードと前記テレビ受信機との間に接続されるカードアダプタである。このカードアダプタは、前記デジタル放送視聴用ＩＣカードと前記テレビ受信機との間の通信経路を選択的に導通／遮断するよう接続／切断される第１のスイッチと、前記第１のスイッチと相補的に前記通信経路を導通／遮断するよう接続／切断される第２のスイッチと、自身宛のＥＭＭに視聴許可時間情報が含まれていることを検出した場合、前記視聴許可時間情報を不揮発的に記憶する記憶手段と、当該テレビ受信機から前記デジタル放送視聴用ＩＣカードへ周期的に送出されるＥＣＭを検出する度に、前記視聴許可時間情報で表される視聴許可時間の残時間を当該経過時間分減算して更新していくタイマー手段と、非自主放送コンテンツに係るＥＣＭの受信に応じて、前記残時間がゼロでなければ前記デジタル放送視聴用ＩＣカードから当該テレビ受信機へ前記ＥＣＭに基づくスクランブル解除キーが伝送されることを許容し、前記残時間がゼロになった後は前記前記デジタル放送視聴用ＩＣカードからの前記ＥＣＭに基づくスクランブル解除キーに代えて無効なスクランブル解除キーを当該テレビ受信機へ送出するアダプタ制御手段とを備える。
【００２０】
前記アダプタ制御手段は、前記残時間を残時間情報として不揮発的に記憶し、所定の時点、例えば、前記非自主放送コンテンツに係る自身宛のＥＭＭの受信時に、現時点での残時間情報を前記テレビ受信機に送出するようにすることも可能である。
【発明の効果】
【００２１】
本発明によれば、従来必要であった、テレビ受信機にＬＡＮで接続されるような端末装置は不要となる。また、各テレビ受信機毎のカードリーダも不要であり、そのようなプリペイドカード自体も不要となる。利用者にとって、テレビ受信機に対して視聴制限解除のためにカードを挿入するなどの特別な操作を行う必要がなくなる。
【００２２】
したがって、テレビ放送の視聴制限を比較的低コストで実現することができるとともに、利用者の操作上の負担が軽減される。
【００２３】
また、ＥＣＭ（Entitlement Control Message）の有無に基づいて自主放送と非自主放送を区別することができ、これにより、自主放送には視聴制限を行うことなく、非自主放送に対する視聴制限を行うことが可能となる。
【図面の簡単な説明】
【００２４】
【図１】本発明の実施の形態におけるデジタルテレビ放送用の視聴制限システム全体の概略構成を表したブロック図である。
【図２】図１内に示したカードアダプタの外観構成例を示す図である。
【図３】図１内に示した自主放送送出装置の内部構成を表したブロック図である。
【図４】ＡＲＩＢに規定されたＥＣＭセクションの構造を示す図である。
【図５】ＡＲＩＢに規定されたＥＭＭセクションの構造を示す図である。
【図６】図１の放送受信システムに対応し、本実施の形態におけるテレビ受信機とカードアダプタの内部構成例を示す図である。
【図７】本発明の実施の形態におけるカードアダプタの主要な機能について説明するための図である。
【図８】本発明の実施の形態において、視聴権を購入した利用者のテレビ受信機で自主放送を視聴したときに、カードアダプタに視聴許可時間（の情報）が保存される際の動作およびその仕組みを説明するための図である。
【図９】本発明の実施の形態におけるテレビ受信機とこれに接続されるカードアダプタとＩＣカードの相互の間の信号の授受の一例を表したシーケンス図である。
【図１０】本発明の実施の形態における自主放送の映像画面に残時間を表すメッセージを重ねて表示した表示画面例を示す図である。
【図１１】本発明の実施の形態におけるテレビ受信機が、利用者の指示に応じて、自主放送チャンネルからその他の非自主放送チャンネルに切り替えられた場合のシーケンス図である。
【図１２】本発明の実施の形態におけるカードアダプタの概略の処理を表したフローチャートである。
【図１３】テレビ受信機における残時間の表示に関する具体的な処理例を示すフローチャートである。
【図１４】図１２に示したカードアダプタの視聴制限処理Ｓ１０５の具体的な処理例を表したフローチャートである。
【発明を実施するための形態】
【００２５】
以下、本発明の好適な実施の形態について図面を参照しながら詳細に説明する。
【００２６】
図１は、本実施の形態におけるデジタルテレビ放送用の視聴制限システム全体の概略構成を表したブロック図である。この視聴制限システムは、デジタル放送視聴用ＩＣカードを用いたデジタルテレビ受信機における非自主放送（一般放送）の視聴制限を行う視聴制限システムである。以下、デジタルテレビ受信機を単にテレビ受信機またはＴＶと記述する。特定の施設での利用、ここでは病院での利用を例を説明する。
【００２７】
病院内に設置される放送配信システム１０は、配信先である各部屋（病室）に設置された放送受信システム２０と、同軸ケーブル等の高周波伝送インタフェースを介して接続される。
【００２８】
放送配信システム１０は、特定のチャンネルで放送する無料の案内放送等の自主放送コンテンツを送出する自主放送送出装置１４、非自主放送の視聴権の購入（対価の支払い）を行うための購入装置１８、自主放送送出装置１４および購入装置１８を制御する制御装置（ＰＣ）１６、非自主放送コンテンツ源１１、この非自主放送コンテンツ源１１からのＲＦ信号と自主放送送出装置１４からのＲＦ出力とを混合して各放送受信システム２０へ送出する混合器１２を備えて構成される。非自主放送コンテンツ源１１は、ここでは、地上デジタル放送受信アンテナ１１ａおよび衛星デジタル放送受信アンテナ１１ｂ等により構成されている。アンテナによらず外部からケーブル等で非自主放送コンテンツを受信するものであってもよい。
【００２９】
本明細書において、「非自主放送」とは、通常のテレビ受信機で受信できる放送であり、例えば地上デジタルテレビ放送や衛星デジタルテレビ放送である。本発明では、このような非自主放送は放送コンテンツがスクランブル鍵で暗号化（スクランブル）される放送であり、放送コンテンツに、後述するＥＣＭと呼ばれるパケットデータが付随するものをいう。これに対して、自主放送とは、例えば、その施設のサービスや利用方法などを案内する案内放送などの、個々の施設で自主的に提供される放送であり、放送コンテンツにＥＣＭパケットデータが付随しないものをいう。また、「放送コンテンツ」とは、典型的には、放送波を利用して視聴者へ送出される映像および音声を含む情報であるが、放送波ではなく通信を介して送出されるものであってもよい。また、「限定受信」とは、非自主放送コンテンツの受信者を限定することを意味する。本実施の形態では、既存の視聴制限システムにおいてデジタル放送コンテンツの視聴に必要なデジタル放送視聴用ＩＣカードに対して本発明のカードアダプタを利用し、視聴権の購入を条件として非自主放送の視聴制限を解除する。「視聴権」とは非自主放送の視聴を行う権利をいう。本発明では、視聴権を購入しても、利用者に対しては、ＰＥＴカードやプリペイドカードが提供されるものではなく、単に、所定の時間、非自主放送を視聴できる旨が記載された受領書（好ましくは領収書を兼ねる）としての印字シートが発行されるだけである。よって、利用者がテレビ受信機に対して特別な操作や指示を行うことは不要である。
【００３０】
自主放送送出装置１４は、視聴制限解除対象のテレビ受信機を特定するためのテレビ受信機識別情報を受けて、当該テレビ受信機の当該カードアダプタ宛の視聴許可時間情報等を含むＥＭＭ（Entitlement Management Message）とともに、スクランブルされていない自主放送コンテンツを送出するものである。（ＥＭＭについては後述する。）そのために、自主放送送出装置１４は、地上デジタル放送のＳＩ（Service Information）情報送出機能、映像・音声の圧縮機能、直交周波数分割多重（ＯＦＤＭ：Orthogonal Frequency Division Multiplexing）変調機能、ＲＦアップコンバータ機能を実装している。より具体的には、自主放送送出装置１４は、地上デジタルテレビジョン放送に準拠した暗号方式によるスクランブル鍵での暗号化は行わず、独自ＥＭＭに上記のような所定の情報を含めて、非暗号化放送コンテンツを送出する。独自ＥＭＭとは、自主放送送出装置１４に独自のＥＭＭである。放送コンテンツにはデータ放送コンテンツ（ＢＭＬデータ）を含めることもできる。地上デジタル放送および衛星デジタル放送の信号はアンテナ１１ａ，１１ｂで受信され、自主放送送出装置１４から出力される自主放送チャンネルの信号と混合器１２で混合されて、一緒に配信先へ送出される。自主放送送出装置１４の詳細な内部構成については後述する。
【００３１】
制御装置１６は、自主放送送出装置１４および購入装置１８を制御するための装置であり、本例ではパーソナルコンピュータ（ＰＣ）により構成される。より具体的には、利用者による所定の情報の入力および料金の支払いを受け付けて、レシートを出力する端末装置である。ここでの「所定の情報」とは、視聴制限解除対象のテレビ受信機を特定するテレビ受信機識別情報（ＴＶ−ＩＤ）であり、例えば、テレビ受信機に一意に割り当てられたテレビ受信機番号である。「所定の情報」には、さらに利用者が視聴制限の解除を希望する時間を表す時間情報を含んでもよい。時間情報は３０時間、５０時間のような時間数であってもよいし、１０日、１週間、１か月などの期間を表す情報であってもよい。時間の指定は数値の入力でもよいし、複数の時間を表すボタンやキーを利用者が選択するものであってもよい。但し、視聴許可時間が一律に定められている場合には、本発明において利用者による時間情報の入力は必須ではない。レシートは、例えば、購入の日付、視聴許可時間、領収額、視聴の手引き説明、等が印字された帳票（用紙）である。
【００３２】
購入装置１８は、ＬＡＮ等の通信インタフェースを介して制御装置１６に接続される。利用者から入力された視聴制限解除対象のテレビ受信機を特定するテレビ受信機識別情報（および視聴時間情報）は、制御装置１６が受信し、自主放送送出装置１４へ送信する。このような購入装置１８は少なくとも病院内に１台設置されれば足りるが、複数階に病室がある場合には、各階に少なくとも１台設置するようにしてもよい。勿論、購入装置１８を各病室に設置するようにしてもよい。
【００３３】
料金の支払いの形態としては、購入装置１８に対する現金の投入、電子マネー、クレジットカードの利用等、いずれでもよく、特に限定するものではない。
【００３４】
放送受信システム２０は、リモコン（リモートコントローラ）２２付のテレビ受信機２１と、カードアダプタ２４と、ＩＣカード２６とを備えて構成される。放送受信システム２０は、利用者がテレビ放送を視聴できる部屋毎に少なくとも１台設置される。１室に複数の利用者（またはベッド）が存在する場合には、放送受信システム２０が１部屋に複数台設置される場合もありうる。いずれにせよ、病院内の視聴制限が掛かったすべての放送受信システム２０のテレビ受信機にはテレビ受信機識別情報として固有のテレビ受信機番号（ＴＶ−ＩＤ）が割り当てられる。
【００３５】
一般に、ＩＣカード２６は、Ｂ−ＣＡＳカードと呼ばれるような既存のデジタル放送視聴用ＩＣカードであり、デジタル放送のテレビ受信機に装着され、暗号化された（スクランブルされた）放送コンテンツを視聴可能にする。Ｂ−ＣＡＳカードは、そのＩＤ番号およびマスター鍵が格納された接触型ＩＣカードである。
【００３６】
カードアダプタ２４は、そのようなデジタル放送視聴用ＩＣカードとテレビ受信機（テレビ本体）２１との間に接続（装着）されるアダプタ装置である。より具体的には、カードアダプタ２４は、自身が接続されたテレビ受信機２１での非自主放送としての地上デジタル放送や衛星デジタル放送の視聴制限を行い、利用者が視聴権を購入した場合に、その視聴許可時間分だけ当該テレビ受信機の視聴制限を解除（視聴を許可）するものである。そのために、カードアダプタ２４は、非自主放送の視聴制限機能、視聴制限を解除する機能、および、利用者による非自主放送の累積した視聴時間を計測し、累積視聴時間が視聴許可時間に達したか否かを判断するタイマー機能を備える。累積視聴時間が視聴許可時間に達したか否か（タイムアウトとなったか否か）は、本実施の形態では、視聴権の購入時に初期設定される視聴許可時間を、非自主放送の視聴時間に応じて減算していき、その残時間が０（ゼロ）になるかどうかを判断する。
【００３７】
本システムの要部の構成および動作、特に、タイマー機能における視聴許可時間の設定、その残時間の更新の動作、および残時間の表示等の動作については後述する。
【００３８】
放送配信システム１０から伝送されたＲＦ信号は各配信先にあるテレビ受信機２１で受信される。利用者は、リモコン２２を使って、通常のテレビ放送である非自主放送のチャンネルを選択することができる。本発明は、テレビ受信機の既存の視聴制限システムを利用して、非自主放送の視聴制限を行っているので、チャンネル選択を行うためのリモコンとしては、テレビ受信機２１のリモコン２２をそのまま使うことができる。
【００３９】
デジタル放送の放送コンテンツは、ＭＵＬＴＩ２と呼ばれる暗号方式で暗号化（スクランブル）されている。ＭＵＬＴＩ２は、日本のデジタル放送用限定受信方式（Ｂ−ＣＡＳ）の標準暗号として採用された暗号方式である。放送コンテンツを復号するためのスクランブル解除キー（スクランブル鍵）はＩＣカード２６から取り込むことができるようになっている。本実施の形態において、スクランブル解除キーとしてのスクランブル鍵は、放送コンテンツ内のＥＣＭパケットに含まれ、テレビ受信機２１を経由して、カードアダプタ２４に到達する。
【００４０】
カードアダプタ２４は、利用者が非自主放送チャンネルの視聴権を購入したときには、非自主放送コンテンツに係るＥＣＭを受信している間、残時間がゼロでなければ、ＩＣカード２６からスクランブル鍵がスクランブル解除キーとしてテレビ受信機２１へ伝送されるのを許容する。この生成されたスクランブル解除キーがテレビ受信機２１に伝送され、これにより非自主放送コンテンツの復号（デスクランブル）が正しく行われ、同コンテンツが再生表示される。あるテレビ受信機２１について、視聴権が購入される前、あるいは、残時間がなくなった後は、カードアダプタ２４がＩＣカード２６からテレビ受信機２１へ正規のスクランブル解除キーが伝送されるのを阻害することにより、視聴制限を行う。そのために、カードアダプタ２４は、ＩＣカード２６からのスクランブル解除キーに代えて無効なスクランブル解除キーを当該テレビ受信機へ送出する。このようにして、カードアダプタ２４により非自主放送コンテンツの時限視聴制限を行われる。
【００４１】
図２に、本実施の形態におけるカードアダプタ２４の外観構成例を示す。この例におけるカードアダプタ２４は、ＩＣカード２６を収納するスロット２４ｇ、および必要な回路を構成する電子部品を搭載した回路基板（図示せず）を内蔵したアダプタ本体部２４ａと、テレビ受信機２１の同様なスロット２１ａに接続されるカード状接続部材２４ｄとにより構成される。利用者がＩＣカード２６を着脱する必要はないので、ＩＣカード２６を収納するＩＣカード用スロット２４ｇはアダプタ本体部２４ａの内部に閉鎖的に設けられてもよい。
【００４２】
本来であれば、スロット２１ａにはＩＣカード２６が直接実装されるが、本実施の形態ではＩＣカード２６はカードアダプタ２４を介してテレビ受信機２１に実装される。アダプタ本体部２４ａには、電源コンセントに接続可能なプラグ付き電源ケーブル２４ｆを介して電源が供給される。カード状接続部材２４ｄとアダプタ本体部２４ａとはケーブル２４ｂで相互に接続される。この例では、ケーブル２４ｂにはコネクタ２４ｃが付属し、このコネクタを介してカード状接続部材２４ｄに接続されるようになっている。但し、コネクタ２４ｃは必須ではなく、ケーブル２４ｂはカード状接続部材２４ｄに直付けされてもよい。カード状接続部材２４ｄには、ＩＣカード２６と同じ箇所に同じ電気接点２４ｅが形成されている。アダプタ本体部２４ａにカード状接続部材２４ｄを直結することによりケーブル２４ｂをなくした構成であってもよい。
【００４３】
図３は、自主放送送出装置１４の内部構成を表したブロック図である。この自主放送送出装置１４は、主として、視聴許可時間情報等を付加された独自ＥＭＭパケットの生成、および、この独自ＥＭＭパケットを含む自主放送の映像・音声ストリームの送出という機能を有している。より具体的には、自主放送送出装置１４は、地上デジタル放送ＳＩ情報生成部１４０、映像・音声エンコーダ１４２、ＥＭＭ共通メッセージ記憶部１４３、対応テーブル１４４、ＯＦＤＭ変調器１４８、ＲＦアップコンバータ１４９、および独自ＥＭＭパケット生成部１５０を備える。自主放送送出装置１４は、少なくとも視聴制限解除対象のテレビ受信機を特定するためのＴＶ−ＩＤ情報を受けて、ＴＶ−ＩＤ情報で特定されるテレビ受信機のカードアダプタ２４宛の視聴許可時間情報等を含む独自ＥＭＭを、スクランブルされていない自主放送コンテンツとともに送出する。但し、自主放送送出装置１４は、自主放送コンテンツに対するＥＣＭの付加を省略する。好ましくは、視聴許可時間情報を含むＥＭＭには、当該視聴権が購入された日付（購入日）の情報も付加する。独自ＥＭＭの送出周期は、購入日の新旧に応じて、変化させてもよい。例えば、購入日の新しいものの送出周期をより短く設定することができる。
【００４４】
地上デジタル放送ＳＩ情報生成部１４０は、地上デジタル放送に必要なＰＡＴ，ＰＭＴ，ＳＤＴ，ＢＩＴ、ＴＯＴ，ＮＩＴなどのＳＩ情報（付帯情報）を生成する回路である。このようなＳＩ情報は制御装置１６から設定することができる。ＳＩ情報は、地上デジタル放送ＳＩ情報生成部１４０からＡＲＩＢ（Association of Radio Industries and Business：非特許文献１参照）に準拠したタイミングでＴＳパケットとして送出される。一般に、ＴＳ（Transport Stream）は放送や通信で使用することを目的として標準化された１８８バイト単位の固定長パケットデータであり、通常、映像、音声、データを含む。
【００４５】
自主放送の映像・音声（放送コンテンツ）は、ＤＶＤプレーヤ等、任意の映像・音声源から得られるものであり、映像・音声エンコーダ１４２で圧縮され、ＴＳストリームに変換される。このようなコンテンツ源の配置位置は自主放送送出装置１４の内外を問わない。
【００４６】
一般に、非自主放送の映像・音声ストリームは暗号化（スクランブル）され、テレビ受信機側では、その映像・音声ストリームを復号（デスクランブル）するために、ＥＣＭが必要となる。しかし、本発明において、自主放送の視聴は無料であり、無料放送の映像・音声ストリームは暗号化（スクランブル）しない。したがって、テレビ受信機側では、自主放送の映像・音声ストリームについては復号（デスクランブル）する必要が無く、ＥＣＭパケットも不要となる。
【００４７】
ＥＭＭ共通メッセージは、本実施の形態において視聴許可時間の残時間表示のためのメッセージである。ＥＭＭ共通メッセージは、全てのテレビ受信機のカードアダプタ２４にブロードキャストされる。
【００４８】
対応テーブル１４４には、テレビ受信機識別情報（ＴＶ−ＩＤ）とカード識別情報（カードＩＤ）とを対応付けるもので、本システムの初期設定時にＥＭＭ共通メッセージとともに不揮発性メモリに保存される。この対応テーブル１４４を作成するために、初期設定時にデータ放送を利用して、各テレビ受信機に対応するＩＣカード識別情報（例えばBCASカード番号）をテレビ画面に表示する機能を実装するようにしてもよい。この表示に基づいて、各テレビ受信機ごとにテレビ受信機識別情報とＩＤカード識別情報（カードＩＤ）を対応付けるデータベースをテキストベースで生成し、自主放送送出装置１４内の不揮発性メモリに対応テーブル１４４として格納しておくことができる。
【００４９】
ここで、一般の限定受信システム（ＣＡＳ）について簡単に説明する。ＣＡＳでは、暗号化された放送コンテンツを視聴する際に、マスター鍵（Ｋｍ）と、ワーク鍵（Ｋｗ）と、スクランブル鍵（Ｋｓ）の３つの鍵が用いられる。マスター鍵は利用者毎に配布される鍵であり、デジタル放送視聴用ＩＣカードなどの情報媒体を用いて利用者に配布される。放送波にはＥＭＭ（Entitlement Management Message）と呼ばれる情報が定期的に出力される。ＥＭＭには、契約者としての利用者毎の契約情報（契約登録コード）、ワーク鍵等が含まれている。ＥＭＭ内の利用者毎の個別情報は暗号化され、マスター鍵で復号される。また、放送コンテンツは、ＥＣＭ（Entitlement Control Message）と呼ばれる共通情報とともに送信される。ＥＣＭには、番組に関する情報やスクランブル鍵等が含まれている。ＥＣＭも所定の暗号方式で暗号化されており、ワーク鍵で復号することができる。ＩＣカード２６側では、ＥＣＭをワーク鍵で復号し、ＥＭＭに含まれる契約情報とＥＣＭ内の情報とを照合し、視聴可能であればＥＣＭ内のスクランブル鍵をスクランブル解除キーとして用いて、テレビ受信機２１にてコンテンツが復号（デスクランブル）される。
【００５０】
各部で生成されたＴＳストリームはマルチプレクサ１４６で多重化される。ＴＳストリームはＯＦＤＭ変調器１４８で地上デジタル放送信号として変調され、ＲＦアップコンバータ１４９によりＵＨＦ信号に変換され、ＲＦ出力される。このＲＦ出力するチャンネルとしては、地上デジタル放送の空きチャンネルを選択する。
【００５１】
図４に、ＡＲＩＢに規定されたＥＣＭセクションの構造を示す。ＥＣＭセクションは、１つのＴＳパケットに１つ含まれ、ＥＣＭセクションヘッダと、ＥＣＭ本体と、セクションＣＲＣからなる。ＥＣＭ本体は、固定部と可変部と、改ざん検出部からなる。固定部には、プロトコル番号、事業者識別情報、ワーク鍵識別情報、スクランブル鍵（ＯＤＤ）、スクランブル鍵（ＥＶＥＮ）、判定タイプ、日時、録画制御情報が含まれる。プロトコル番号は、共通情報を処理するプロトコル番号である。事業者識別情報は、限定受信方式運用上の事業体を識別するコードであり、ワーク鍵識別情報と併せて、参照する個別情報を指定する情報である。ワーク鍵識別情報は、共通情報を復号するためのワーク鍵を指定する情報である。スクランブル鍵（ＯＤＤ）、スクランブル鍵（ＥＶＥＮ）は、ペアで送出される現在と次の２つのスクランブル鍵である。判定タイプは、無料、ディア、ＰＰＶなどの視聴判定のタイプを示す。日時は、視聴判定に使用する現在の年月日時分を示す。録画制御情報は、この番組の録画条件（録画可、不可、購入者のみ録画可）を示す情報である。ＥＣＭの可変部には、その共通情報の送信目的に応じた必要な機能情報が含まれる。
【００５２】
図５に、ＡＲＩＢに規定されたＥＭＭセクションの構造を示す。ＥＭＭセクションは、ＥＭＭセクションヘッダと、複数のＥＭＭ本体と、セクションＣＲＣからなる。ＥＭＭ本体は、固定部と可変部と改ざん検出部からなる。「カードＩＤ」はＩＣカードを一意に特定するためのカード識別情報である。「関連情報バイト長」は、プロトコル番号から改ざん検出部までのバイト長を表す。「プロトコル番号」は、ＩＣカード内処理機能および暗号アルゴリズム等を識別するコードである。「事業体識別」は限定受信方式運用上の事業体を識別するコードである。「更新番号」は、個別情報が更新する時に増加する番号である。「有効期限」は個別情報の有効期限を表す。可変部には各種の機能情報が配置可能となっている。
【００５３】
独自ＥＭＭパケット生成部１５０は、独自ＥＭＭパケットを生成し、所定時点でマルチプレクサ１４６へ出力される。購入装置１８からテレビ受信機識別情報（ＴＶ−ＩＤ）と視聴時間情報が送られてくるので、対応テーブル１４４を参照して、テレビ受信機識別情報に対応するカード識別情報（カードＩＤ）を確認することができる。本実施の形態では、ＩＣカード識別情報はカードアダプタを一意に特定する識別情報でもある。このＩＣカード識別情報は、独自ＥＭＭの固定部の「カードＩＤ」に設定する。また、独自ＥＭＭの可変部もしくは有効期限に、視聴許可時間および購入日の情報を設定する。視聴許可時間が予め定められた一律の時間である場合には、独自ＥＭＭパケット生成部１５０が当該一律の時間を視聴許可時間として設定するようにしてもよい。購入日の情報は、購入装置１８が生成してもよいし、自主放送送出装置１４が購入装置１８からテレビ受信機識別情報（ＴＶ−ＩＤ）と視聴時間情報を受信した日を購入日として独自ＥＭＭパケット生成部１５０が設定してもよい。
【００５４】
図６は、図１の放送受信システム２０に対応し、本実施の形態におけるテレビ受信機２１とカードアダプタ２４の内部構成例を示す図である。
【００５５】
テレビ受信機２１は、チューナ部２１１、デスクランブラ２１２、デマルチプレクサ２１３、映像・音声デコーダ２１４、入出力（Ｉ／Ｏ）部２１５、制御部２１６、ＣＡＳ処理部２１７、表示処理部２１８、赤外線（Ｉｒ）受信部２１９、表示制御部２２０、表示部２２１、音声処理部２２２、およびスピーカ２２３を備えて構成される。
【００５６】
チューナ部２１１は、テレビ受信機２１が受信したＲＦ信号の中から選択したチャンネルの放送コンテンツを抽出する部位である。デスクランブラ２１２は、ＭＵＬＴＩ２暗号方式による暗号化（スクランブル）された放送コンテンツを復号（デスクランブル）する部位である。この復号のための鍵（スクランブル解除キー）は、ＩＣカード２６またはカードアダプタ２４から、後述するＣＡＳ処理部２１７経由で与えられる。
【００５７】
デマルチプレクサ２１３は、多重化されたストリームを分離し、復号された放送コンテンツの中の映像・音声と、データ放送コンテンツ（存在すれば）とを抽出する部位である。映像・音声デコーダ２１４は、分離された映像および音声をデコードして復元するＭＰＥＧ２デコーダ等のデコーダである。デマルチプレクサ２１３で抽出されたＳＩ情報は制御部２１６に送出される。次に、ＳＩ情報のうち、ＥＭＭとＥＣＭパケットなどがＣＡＳ処理部２１７に送出される。ＥＣＭパケットはＳＩ情報の１パケットである。制御部２１６からＣＡＳ処理部２１７へは、図４に示したＥＣＭパケットの本体部のみが送出される。
【００５８】
ＣＡＳ処理部２１７は、カードアダプタ２４およびＩＣカード２６との間でコマンドおよびレスポンスの処理を入出力（Ｉ／Ｏ）部２１５を介して行うとともに、デスクランブラ２１２に与えるスクランブル解除キーとしてのスクランブル鍵の抽出処理を行う部位である。
【００５９】
制御部２１６は、デマルチプレクサ２１３から抽出したセクション情報とＢＭＬデータの取り込み、ならびに  テレビ受信機２１の各部の制御および必要な処理を実行する部位であり、周辺回路を内蔵したＣＰＵおよびメモリ等により構成される。
【００６０】
表示処理部２１８は、制御部２１６の制御下で、デマルチプレクサ２１３で分離されたＢＭＬデータストリームに基づくデータ放送表示画面および映像・音声デコーダ２１４から得られた映像信号を合成して表示する処理を行う部位である。表示処理部２１８は、より具体的には残時間の表示、ＢＭＬデータの表示、ＥＰＧ表示、チャンネル、音量などを含むメニュー表示を行う。
【００６１】
表示制御部２２０は、映像・音声デコーダ２１４からの映像信号に基づく映像および表示処理部２１８からの表示信号に基づく画像の表示を行うよう表示部２２１を制御する部位である。表示部２２１は液晶、有機ＥＬ、プラズマ等の任意の表示デバイスである。
【００６２】
赤外線受信部２１９は、リモコン２２からの赤外線コマンドを受信して制御部２１６へ送る部位である。
【００６３】
音声処理部２２２は、映像・音声デコーダ２１４から得られた音声信号に基づいてスピーカ２２３を駆動する部位である。
【００６４】
なお、このようなテレビ受信機２１の構成は既知のものである。
【００６５】
カードアダプタ２４は、アナログスイッチ２４１、アナログスイッチ２４２、およびアダプタ制御部（アダプタ制御手段）２４３を備えて構成される。カードアダプタ２４には、特許文献１に記載の端末装置のようなＬＡＮへの接続機能は不要である。また、プリペイドカードを読み取るためのカードリーダのような装置も不要である。
【００６６】
アナログスイッチ２４１は、テレビ受信機２１のＩ／Ｏ部２１５とＩＣカード２６との間の通信経路を選択的に導通／遮断するよう接続／切断される第１のスイッチである。アナログスイッチ２４２は、アナログスイッチ２４１と相補的に通信経路を導通／遮断するよう接続／切断される第２のスイッチである。アダプタ制御部２４３は、ＩＣカード２６とテレビ受信機２１のＩ／Ｏ部２１５との間の通信経路、より具体的にはアナログスイッチ２４１とＩＣカード２６の間の通信経路に接続される。通常、アナログスイッチ２４１が導通、アナログスイッチ２４２が遮断の状態にあり、必要時にアナログスイッチ２４１が遮断、アナログスイッチ２４２が導通の状態に切り替わるよう制御される。例えば、デジタル放送（非自主放送）の視聴が制限されている状態では、アナログスイッチ２４１が切断状態でアナログスイッチ２４２は導通状態にあり、テレビ受信機２１とＩＣカード２６との間は遮断される。
【００６７】
アダプタ制御部２４３は、プロセッサ（＆メモリ）２４４を内蔵し、上述したように、テレビ受信機２１から受信したＥＣＭの検出、および独自ＥＭＭの解析、視聴時間に関するタイマー処理を実現するものである。その具体的な処理については後述する。メモリには、ＥＥＰＲＯＭ等の不揮発性メモリ、およびＲＡＭ等の揮発性メモリを含む。プロセッサ２４４は、常時、テレビ受信機２１とＩＣカード２６の間で授受される信号を監視し、ＩＣカード２６へ出力されるＥＭＭおよびＥＣＭを傍受し、必要な処理を実行する。プロセッサ２４４は例えば８ビットマイコンで比較的簡素かつ安価に実現することができる。
【００６８】
通常のデジタル放送で使われるＥＣＭパケットは、Ｂ−ＣＡＳ標準規格における所定の暗号方式で暗号化されているので、アダプタ制御部２４３のプロセッサ２４４は理解できない。ここに、理解できないとは、ＥＣＭパケットの暗号をカードアダプタ２４の独自の暗号で解こうとするが、改ざん検出用ＣＲＣ３２（図４のＥＣＭ本体の「改ざん検出」）の判定値が非改ざんを示す所定値（例えば０）と一致しないため、自身が処理するＥＣＭパケットではないと判断するということである。しかし、ＥＣＭパケット自体は検出することができる。本発明ではこのＥＣＭを検出することにより、利用者が現在、非自主放送コンテンツを視聴していると判断する。
【００６９】
図７により、本実施の形態におけるカードアダプタ２４の主要な機能について説明する。この図は各部の機能をブロックで表したものである。図７に示した各部の機能の実現はハードウェア、ソフトウェアを問わない。
【００７０】
カードアダプタ２４内のアダプタ制御部２４３（図６）は、非自主放送コンテンツに係るＥＣＭの受信に応じて、残時間がゼロでなければＩＣカード２６から当該テレビ受信機２１へ前記ＥＣＭに基づくスクランブル解除キーが伝送されることを許容し、残時間がゼロになった後はＩＣカード２６からのスクランブル解除キーに代えて無効なスクランブル解除キーを当該テレビ受信機２１へ送出するよう機能する。その前提として、ＥＭＭ検出部２４４ｂにより、ＥＭＭパケットを検出した場合、そのＥＭＭに自身宛のＥＭＭ個別メッセージが含まれ、かつ、そのＥＭＭ個別メッセージに、視聴制限解除に係る視聴許可時間情報が含まれている場合、その視聴許可時間および購入日の情報をメモリ２４４ｄに保存する。（カードアダプタ２４は、予め、自身の識別情報を記憶している。）その後、ＥＣＭ検出部２４４ａがＥＣＭを検出し続けている間は非自主放送が視聴されていると判断し、単位時間ごとに経過時間分だけ視聴許可時間を逐次減算して、視聴許可時間の残時間情報をメモリ２４４ｄに保存して管理する。ここにメモリ２４４ｄは上述したアダプタ制御部２４３内の不揮発性メモリおよび／または揮発性メモリである。アダプタ制御部２４３は、また、減算の結果としての残時間情報として不揮発的に保存し、所定の時点、例えば、非自主放送コンテンツに係る自身宛のＥＭＭの受信時に、現時点での残時間情報をテレビ受信機２１に送出する機能を有する。これは、テレビ受信機２１に残時間を表示させて、利用者に現在の残時間を知らしめるための機能である。
【００７１】
第２のスイッチであるアナログスイッチ２４２は導通状態とするとともに、第１のスイッチであるアナログスイッチ２４１は切断状態とすることにより、無効なスクランブル解除キー（ＯＤＤ，ＥＶＥＮキー）としてのゼロ（"０"）データをテレビ受信機のデスクランブラ２１２へ送出することができる。その結果、非自主放送の視聴制限状態が実現される。
【００７２】
視聴権の購入が行われた後、カードアダプタ２４は、視聴許可時間の残時間が存在する間（ゼロでない間）は、第１のスイッチであるアナログスイッチ２４１を介してＩＣカード２６からテレビ受信機２１に対して送出されるスクランブル解除キーとしてのスクランブル鍵（Ｋｓ）を導通させる。このとき第２のスイッチであるアナログスイッチ２４２は遮断状態とする。
【００７３】
ＩＣカード２６側では、従来のとおり、復号処理部２６２によりＥＭＭをマスター鍵（Ｋｍ）で復号してワーク鍵（Ｋｗ）と契約情報とを出力する。また、復号処理部２６１によりＥＣＭをワーク鍵（Ｋｗ）で復号してスクランブル鍵（Ｋｓ）と番組属性情報を出力する。視聴条件判定処理部２６３により、ＥＭＭに含まれていた契約情報とＥＣＭ内の番組属性情報とを照合し、照合の結果、視聴可能と判定されればスイッチ２６４を閉じて、ＥＣＭから得られたスクランブル鍵（Ｋｓ）をスクランブル解除キーとしてデスクランブラ２１２へ出力する。
【００７４】
以下、本実施の形態における一連の動作について説明する。
【００７５】
まず、図８により、視聴権を購入した利用者のテレビ受信機２１で自主放送を視聴したときに、カードアダプタ２４に視聴許可時間等（の情報）が保存される際の動作およびその仕組みを説明する。
【００７６】
上述したように、対応テーブル１４４には、テレビ受信機識別情報（ＴＶ−ＩＤ）とカード識別情報（カードＩＤ）とが対応付けて保存されている。購入装置１８から制御装置１６を経由して送られてきたテレビ受信機識別情報である「テレビ受信機番号」から、これに対応するカード識別情報である「カード番号」が特定される。ＥＭＭパケット生成部１５０はこのカード番号を受ける。ＥＭＭパケット生成部１５０には、これに伴って視聴許可時間および購入日の情報も制御装置１６から送られてくる。独自ＥＭＭパケット生成部１５０は、これらのカード番号および視聴許可時間および購入日に加えて、ＥＭＭ共通メッセージ記憶部１４３から残時間表示のためのＥＭＭ共通メッセージを受けて、これらの情報を組み込んだＥＭＭパケットを生成する。このＥＭＭパケットは、エンコーダ１４２等により、例えば案内映像および音声からなる自主放送コンテンツとともに多重化され、ＲＦ信号として混合器１２へ送られる。
【００７７】
混合器１２では、地上デジタル放送や衛星デジタル放送のＲＦ信号とともに混合され、各放送受信システム２０へ送出される。
【００７８】
放送配信システム１０から送出される案内放送を受信した複数の放送受信システム２０のうち、利用者が視聴権の購入を行ったことに起因して、ＥＭＭに含まれるカード識別情報で指定された放送受信システム２０について、そのカードアダプタ２４は、受信した視聴許可時間および購入日の情報を不揮発的に保存する。すなわち、カードアダプタ２４は、自主放送コンテンツに付随した自身宛のＥＭＭに視聴許可時間情報が含まれていることを新たに検出した場合、その視聴許可時間情報および購入日を不揮発的に記憶する。「新たに」検出した場合とは、一度処理したＥＭＭについて以降に受信した同じＥＭＭは無視することを意味する。
【００７９】
以後、この放送受信システム２０のテレビ受信機２１は、そのカードアダプタ２４により、非自主放送については視聴許可時間分だけ、ＩＣカード２６が有効化されて（すなわち、ＩＣカード２６から出力される正規のスクランブル解除キーが利用されて）、当該非自主放送の視聴が許可される。この非自主放送の視聴中、その視聴時間だけ視聴許可時間が更新され（減じられ）、残時間が管理される。カードアダプタ２４は、視聴許可時間の残時間がゼロになった時点で、ＩＣカード２６とテレビ受信機２１の間の通信を遮断することにより、以後の非自主放送の視聴を制限する。
【００８０】
図９に、テレビ受信機２１とこれに接続されるカードアダプタ２４とＩＣカード２６の相互の間の信号の授受の一例を表したシーケンス図を示す。本実施の形態では、視聴権の購入後、初めて自主放送が視聴されたときにカードアダプタ２４に視聴許可時間および購入日（の情報）が保存される。したがって、この視聴制限システムにおけるテレビ受信機２１は、電源投入時は、特定のチャンネル（本例では案内用の非自主放送チャンネル）が自動的に選択されるように構成されているものとする。但し、このことは必須ではない。この構成がなくても、利用者が非自主放送チャンネルを手動で選択すれば足りる。
【００８１】
テレビ受信機２１は、電源投入後、ＩＣカード２６が装着されていることを検出すると（Ｓ１１）、ＩＣカード２６に電源を供給する（Ｓ１２）。同時に、所定の周波数（例えば４ＭＨｚ）のクロックを供給し（Ｓ１３）、ＩＣカード２６の回路が安定化するための時間（安定時間）の経過後に、ＩＣカード２６の初期的なリセット状態を解除する（Ｓ１４）。
【００８２】
ＩＣカード２６は、リセット解除後、ＡＴＲ（Answer To Reset）として、ボードレート、クロック周波数、タイムアウトなどの基本通信情報をテレビ受信機に返答する（Ｓ３１）。テレビ受信機２１は、ＡＴＲの応答を受信し（Ｓ１５）、それに基づいたフォーマットでシリアルデータのやり取りを開始する。Ｂ−ＣＡＳの場合は、最初にバッファーサイズの設定変更をする。
【００８３】
その後、テレビ受信機２１は、初期設定コマンドを発行する（Ｓ１６）。これに対して、ＩＣカード２６は、自身のカードＩＤ、および、ＭＵＬＴＩ２暗号に使うシステムキーやイニシャルデータを返信する（Ｓ３２）。
【００８４】
テレビ受信機２１は、自主放送のチャンネルに同調した後（Ｓ１７）、ＥＭＭパケットを受信し、カードアダプタ２４に対して、ＩＣカード２６に対してＥＭＭコマンド（ＥＭＭパケット）を発行する（Ｓ１８）。ＩＣカード２６はこのＥＭＭパケットを受信しても、これを正しく処理することができない（Ｓ３３）。これに対して、ＥＭＭで指定されたカードＩＤと一致したカードＩＤを有するカードアダプタ２４はＥＭＭパケットを正常に復号して、以下のような所期の処理を実行することができる（Ｓ２１）。
【００８５】
カードアダプタ２４は、ＥＭＭパケットから視聴許可時間および購入日の情報を抽出する（Ｓ２２）。また、視聴許可時間を残時間として不揮発的に保存する（Ｓ２３）。さらに、この残時間（情報）をテレビ受信機２１へ返送する（Ｓ２４）。これに応じてテレビ受信機２１は、自主放送の映像画面に残時間を重ねて表示する（Ｓ１９）。
【００８６】
なお、テレビ受信機２１の電源オフや、自主放送チャンネルへの切替により、残時間が非ゼロの状態で非自主放送の視聴が途切れた場合、残時間は不揮発的に保存されているので、変わらずに維持される。
【００８７】
図１０に自主放送の映像画面５０に残時間を表すメッセージ５２を重ねて表示した表示画面例を示す。メッセージ５２は固定の共通メッセージ部分と可変の個別メッセージ部分を含む。この例では、「残り視聴時間は    分です。」という定型文が共通メッセージ部分であり、「ＸＸ」が個別メッセージ部分である。ＸＸには任意の数値が挿入される。共通メッセージ部分は予め用意された固定の文字列であるが、予め複数の定型文を用意しておき、いずれかを選択して利用することも可能である。
【００８８】
図１１は、その後にテレビ受信機２１が、利用者の指示に応じて、自主放送チャンネルから非自主放送チャンネルに切り替えられた場合のシーケンス図を示している。
【００８９】
テレビ受信機２１が、利用者の指示に応じて、非自主放送チャンネルに切り替わる（Ｓ４１）。その後、テレビ受信機２１は当該非自主放送チャンネルの放送コンテンツのＥＭＭパケットを受信し、ＩＣカード２６に対してＥＭＭコマンド（ＥＭＭパケット）を発行する（Ｓ４２）。また、テレビ受信機２１は、非自主放送チャンネルの同調後に、周期的にＥＣＭコマンド（ＥＣＭパケット）を発行する（Ｓ４３）。このＥＣＭコマンドは、当該ＥＣＭの復号により抽出されたスクランブル鍵をスクランブル解除キーとして返送することを要求するコマンドである。
【００９０】
ＥＭＭで指定されたカードＩＤと一致したカードＩＤを有するＩＣカード２６は、ＥＭＭパケットを受信して、これを正しく復号することができる（Ｓ６１）。
【００９１】
これに対して、カードアダプタ２４は、暗号化されたＥＭＭパケットを検出しても正常に復号することができない（Ｓ５１）。但し、本実施の形態においてカードアダプタ２４が非自主放送の放送コンテンツのＥＭＭを復号できるか否かは問題とならない。
【００９２】
カードアダプタ２４は、ＥＣＭパケットを受信したとき、視聴許可時間の残時間がゼロでなければ、残時間を更新する（Ｓ５２）。すなわち、単位時間毎に経過時間分、残時間を減算する。ついで、この更新後の残時間がゼロとなったかどうかを判定する（Ｓ５３）。続くスイッチ制御ステップＳ５４では、ＩＣカード２６からのスクランブル解除キーをテレビ受信機へ導通させるようスイッチ２４１，２４２が制御される。この例ではこの時点で残時間がゼロにならなかった場合を想定する。この場合、ＩＣカード２６はＥＣＭパケットを正しく復号することができ（Ｓ６２）、その結果、当該ＥＣＭパケットからスクランブル鍵を抽出してスクランブル解除キーとしてテレビ受信機２１へ返送する。このとき、残時間が存在するので、スクランブル解除キーはカードアダプタ２４に阻害されることなく、テレビ受信機２１へ到達する。よって、テレビ受信機２１はスクランブルされた非自主放送コンテンツをスクランブル解除キーでデスクランブルして再生し、表示する（Ｓ４４）。
【００９３】
テレビ受信機２１による、次のＥＣＭコマンドの発行（Ｓ４５）の際、カードアダプタ２４はこれに応じて視聴許可時間の残時間を更新する（Ｓ５５）。ここで、残時間がゼロになったとする（Ｓ５６）。これにより、カードアダプタ２４はアナログスイッチ２４１，２４２の切替を行う（Ｓ５７）。すなわち、アナログスイッチ２４１を遮断し、アナログスイッチ２４２を導通させるよう、スイッチの切替を行う。一方、ＩＣカード２６はＥＣＭパケットを正しく復号し（Ｓ６４）、スクランブル鍵（スクランブル解除キー）の応答を行う（Ｓ６５）。
【００９４】
しかし、この時点で視聴許可時間の残時間がゼロとなり、アナログスイッチ２４１，２４２が切り替わっているため、ＩＣカード２６からテレビ受信機２１へ出力されたスクランブル鍵（スクランブル解除キー）がカードアダプタ２４で遮断される。代わりに、テレビ受信機２１に対してカードアダプタ２４から無効なスクランブル鍵（スクランブル解除キー）としてゼロ出力が行われる（Ｓ５８）。その結果、テレビ受信機２１はこの非自主放送コンテンツのデスクランブルに失敗し、視聴ができない状態となる。この状態は、非ゼロの視聴許可時間が再設定されるまで継続する。
【００９５】
図１２は、カードアダプタ２４の概略の処理を表したフローチャートである。この処理は、カードアダプタ２４のプロセッサ２４４が実行する。
【００９６】
カードアダプタ２４は、テレビ受信機２１から自身宛のＥＭＭパケットを受信したとき、ＥＭＭ個別メッセージを含んでいるかどうかを確認する（Ｓ１０１）。含んでいれば、現在の残時間がゼロであることを条件として、この視聴許可時間および購入日の情報を不揮発性メモリに保存する（Ｓ１０２）。残時間がゼロでなければ、現時点で、このＥＭＭ個別メッセージは無視する。残時間がゼロでなくとも、自身宛のＥＭＭに新たな視聴許可時間情報が含まれていることを検出した場合、この新たな視聴許可時間情報を別途保存しておき、残時間がゼロになった後に利用するようにしてもよい。あるいは、新たな視聴許可時間を現在の残時間に加算して利用するようにしてもよい。
【００９７】
カードアダプタ２４は、テレビ受信機２１から自主放送コンテンツについてＥＭＭ共通メッセージを受信したとき（Ｓ１０３）、現在の残時間を確認し、アナログスイッチ２４２を経由してそのＥＭＭ共通メッセージに現在の残時間を付加して返信する（Ｓ１０４）。  
【００９８】
また、カードアダプタ２４は常時、視聴制限処理を実行する（Ｓ１０５）。視聴制限処理の詳細な具体的な処理ステップについては後述する。
【００９９】
図１３により、テレビ受信機２１における残時間の表示に関する具体的な自動表示メッセージ表示処理の一例を説明する。残時間の表示には、ARIB  2-STD-B25の3.14 ＥＭＭメッセージ制御における自動表示メッセージという機能を利用することができる。これは、予め用意された表示メッセージを、番組視聴中に画面にスーパーインポーズ表示するものである。本実施の形態では、この機能を自主放送チャンネルの表示の際に利用する。
【０１００】
表示メッセージは、全てのテレビ受信機２１に予め共通に用意された共通メッセージに、個々のテレビ受信機２１に固有の個別メッセージを組み合わせて構成することができる。共通メッセージとして複数の定型文が用意されている場合、ＩＣカード側からは、個別メッセージと、これに組み合わせるべき定型文を指定するポインタとをテレビ受信機２１へ返送することができる。
【０１０１】
本実施の形態では共通メッセージは、図８で説明したように、自主放送送出装置１４に用意されたＥＭＭ共通メッセージである。また、個別メッセージは個々のカードアダプタ２４内で逐次更新される視聴許可時間の残時間（情報）である。
【０１０２】
自主放送送出装置１４は、また、自主放送チャンネルのＥＭＭ個別メッセージに、視聴制限解除対象のテレビ受信機２１のカードＩＤと視聴許可時間（情報）と、定型文を示すポインタと、差分情報（初期値ゼロ）を含めて送出する。
【０１０３】
自主放送チャンネルに同調したテレビ受信機２１は、ＥＭＭ個別メッセージを受信したとき（Ｓ１３１）、それが以前に受信したものと同一であれば（Ｓ１３２，Ｙｅｓ）、何もしない。すなわち、ＥＭＭ個別メッセージは一度受け取ると記憶して、同一のメッセージはそれ以降は受け付けない。以前に受信したものと同一でなければ、受信した定型文ポインタおよび差分情報を不揮発的に保存する（Ｓ１３３）。
【０１０４】
テレビ受信機２１がデジタル放送チャンネルに同調するとＣＡＴ（Conditional Access Table）を受信する。自主放送チャンネルのＣＡＴ内にサービス記述子が存在する場合（Ｓ１３４，Ｙｅｓ）、テレビ受信機２１は、自動表示メッセージサービスを起動し、自動表示メッセージ表示情報取コマンドをＩＣカード２６へ出力する（Ｓ１３５）。カードアダプタ２４は、このコマンドを検出したとき、そのレスポンスとして、ＩＣカード２６に代わって、定型文ポインタと差分情報を返送する。この差分情報はその時点での視聴許可時間の残時間を含む。テレビ受信機２１は、カードアダプタ２４から定型文ポインタと差分情報を取得する（Ｓ１３６）。
【０１０５】
その後、テレビ受信機２１は、当該定型文ポインタが指定するＥＭＭ共通メッセージを受信したら（または、すでに受信して保存済みのＥＭＭ共通メッセージがあれば）（Ｓ１３７）、受信したＥＭＭ共通メッセージ情報にＥＭＭ個別メッセージ情報内の差分情報を付加して、スーパーインポーズ（合成）表示を行う（Ｓ１３８）。
【０１０６】
図１４は、図１２に示したカードアダプタ２４の視聴制限処理Ｓ１０５の具体的な処理例を表したフローチャートである。
【０１０７】
カードアダプタ２４は、現在の残時間を確認する（Ｓ１１１）。残時間があれば、ＥＣＭパケットの検出時に（Ｓ１１２、Ｙｅｓ）、ＩＣカード２６が当該ＥＣＭパケットに基づくスクランブル鍵（スクランブル解除キー）をテレビ受信機２１へ返送することを許容するよう、スイッチ２４１，２４２を制御する（Ｓ１１３）。上述のように、このＥＣＭパケットの検出は、現在、利用者がそのテレビ受信機２１で非自主放送であるデジタル放送を視聴していることを意味する。ステップＳ１１１で残時間がなければ（ゼロであれば）、ＥＣＭパケットを検出したとき（Ｓ１２２）、無効なスクランブル鍵（スクランブル解除キー）としてゼロキーをテレビ受信機２１へ返送する（Ｓ１２３）。
【０１０８】
ステップＳ１３３に続いて、視聴許可時間の消費を監視するタイマー管理処理へ移行する。まず、タイムアウト設定を行う（Ｓ１１４）。このタイムアウト設定は、ＥＣＭパケットの不検出状態が所定の時間（例えば３秒）継続したかどうかを監視するためのタイマーの初期設定を行うものである。このタイマーは、視聴許可時間の残時間を管理するタイマーとは別のものである。
【０１０９】
以後、単位時間（ここでは１秒）経過するごとに（Ｓ１１５、Ｙｅｓ）、視聴許可時間を当該単位時間だけ残算する（Ｓ１１６）。すなわち、直前の残時間を単位時間だけ減ずる。その結果、残時間がゼロとなったとき（Ｓ１１７，Ｎｏ）、不揮発性メモリに保存されている残時間を上書きして更新する（Ｓ１２１）。その後、元の処理へ戻る。
【０１１０】
当該所定の時間が経過する前にＥＣＭパケットが検出されたとき（Ｓ１１８、Ｙｅｓ）、ＩＣカード２６が当該ＥＣＭパケットに基づくスクランブル鍵（スクランブル解除キー）をテレビ受信機２１へ返送することを許容するよう、スイッチ２４１，２４２を制御する（Ｓ１２０）。
【０１１１】
ステップＳ１１８でＥＣＭパケットが検出されなくても前記所定の時間が経過するまではステップＳ１１５へ戻って、上記の処理を繰り返す。
【０１１２】
ＥＣＭパケットが検出されることなく当該所定の時間が経過したときには（Ｓ１１９、Ｙｅｓ）、タイムアウトと判断し、ステップＳ１２１を経由して、元の処理へ戻る。ステップＳ１２１では、このときの最新の残時間で、不揮発性メモリに保存されている残時間を上書きして更新する。
【０１１３】
なお、視聴許可時間の残時間を保存する不揮発性メモリの更新はステップＳ１１６の単位時間の減算毎に実行してもよい。ただし、ステップＳ１１６の減算結果の保持は揮発性メモリで行い、タイムアウト時および残時間が無くなったときに不揮発性メモリの更新を行う構成によれば、処理負荷の軽減、処理時間の短縮および不揮発性メモリの寿命伸長の効果が得られる。
【０１１４】
その後、新たな視聴許可時間が設定されるまで、カードアダプタ２４はステップＳ１２２，Ｓ１２３を繰り返して実行し続けることにより、非自主放送の視聴制限状態を維持する。
【０１１５】
以上、本発明の好適な実施の形態について説明したが、上記で言及した以外にも、種々の変形、変更を行うことが可能である。
【０１１６】
例えば、タイマーの更新は、視聴許可時間から視聴時間分を減算していく構成を示したが、視聴時間を累積していき、当初の視聴許可時間から累積視聴時間を減算して残時間を算出するようにしてもよい。
【符号の説明】
【０１１７】
１０…放送配信システム、１１…非自主放送コンテンツ源、１１ａ…地上デジタル放送受信アンテナ、１１ｂ…衛星デジタル放送受信アンテナ、１２…混合器、１４…自主放送送出装置、１６…制御装置、１８…購入装置、２０…放送受信システム、２１…テレビ受信機、２１ａ…スロット、２２…リモコン（リモートコントローラ）、２４…カードアダプタ、２４ａ…アダプタ本体部、２４ｂ…ケーブル、２４ｃ…コネクタ、２４ｄ…カード状接続部材、２４ｅ…電気接点、２４ｆ…電源ケーブル、２４ｇ…カード用スロット、２６…ＩＣカード（デジタル放送視聴用ＩＣカード）、５０…映像画面、５２…メッセージ、１４０…地上デジタル放送ＳＩ情報生成部、１４２…映像・音声エンコーダ、１４３…共通メッセージ記憶部、１４４…対応テーブル、１４６…マルチプレクサ、１４８…ＯＦＤＭ変調器、１４９…アップコンバータ、１５０…ＥＭＭパケット生成部、２１１…チューナ部、２１２…デスクランブラ、２１３…デマルチプレクサ、２１４…映像・音声デコーダ、２１５…Ｉ／Ｏ部、２１６…制御部、２１７…ＣＡＳ処理部、２１８…表示処理部、２１９…赤外線受信部、２２０…表示制御部、２２１…表示部、２２２…音声処理部、２２３…スピーカ、２４１，２４２…アナログスイッチ、２４３…アダプタ制御部、２４４…プロセッサ、２４４ａ…ＥＣＭ検出部、２４４ｂ…ＥＭＭ検出部、２４４ｄ…メモリ、２６１…復号処理部、２６２…復号処理部、２６３…視聴条件判定処理部、２６４…スイッチ
【図１】
0005484496.tif 000002
【図２】
0005484496.tif 000003
【図３】
0005484496.tif 000004
【図４】
0005484496.tif 000005
【図５】
0005484496.tif 000006
【図６】
0005484496.tif 000007
【図７】
0005484496.tif 000008
【図８】
0005484496.tif 000009
【図９】
0005484496.tif 000010
【図１０】
0005484496.tif 000011
【図１１】
0005484496.tif 000012
【図１２】
0005484496.tif 000013
【図１３】
0005484496.tif 000014
【図１４】
0005484496.tif 000015